(57)【要約】【課題】簡単な構成で封筒への糊の転写とフラップの折り曲げを可能とした封緘装置を提供する。【解決手段】封緘装置１Ａは、封筒１０と共に台１００に載置されて使用され、封筒１０のフラップ１１に、ハンドル２０ａの操作によって糊を転写する糊転写機構２Ａと、ハンドル２０ａの操作による糊転写機構２Ａの動作と連動して、フラップ１１を折り曲げる折り曲げ機構３Ａを備え、ハンドル２０ａを往復させる動作で転写スタンプ２１Ａを昇降させて、封筒１０のフラップ１１に糊を転写させると共に、転写スタンプ２１Ａが封筒１０のフラップ１１から退避する動作で、転写スタンプ２１Ａを揺動させて糊切りを行う。【選択図】    図１
2012086496.tif 000002
【特許請求の範囲】
【請求項１】
封筒のフラップの面に対して離接する方向に移動可能に設けられ、封筒のフラップに糊を転写する糊転写手段と、
前記糊転写手段を移動させる操作手段と、
前記糊転写手段が移動して封筒のフラップから退避する動作で、前記糊転写手段を揺動させる糊切り手段と
を備えたことを特徴とする封緘装置。
【請求項２】
前記糊切り手段は、前記糊転写手段の移動をガイドするガイド溝で構成される
ことを特徴とする請求項１記載の封緘装置。
【請求項３】
前記糊切り手段は、
前記糊転写手段が封筒のフラップを押圧する動作で前記糊転写手段の移動をガイドする昇降ガイド溝と、
前記糊転写手段が封筒のフラップから退避する動作で前記糊転写手段の移動をガイドする揺動ガイド溝と、
前記糊転写手段の移動経路を切り替える切替手段を備えた
ことを特徴とする請求項２記載の封緘装置。
【請求項４】
前記糊転写手段は、封筒のフラップに押圧される転写面を有した転写部材と、前記転写面に糊を供給する糊供給機構を備え、
前記糊切り手段は、前記転写部材が封筒のフラップから退避する方向に移動する動作に伴い、前記転写面が封筒のフラップに沿った方向に移動するように前記転写部材を揺動させる
ことを特徴とする請求項１〜請求項３の何れか１項に記載の封緘装置。
【請求項５】
前記糊転写手段が封筒のフラップの面に対して離接する動作で、封筒のフラップに折り目を付ける折り目付け手段を備えた
ことを特徴とする請求項１〜請求項４の何れか１項に記載の封緘装置。
【発明の詳細な説明】
【技術分野】
【０００１】
本発明は、封筒のフラップに糊を転写するとともに、フラップを折り曲げる封緘装置に関する。
【背景技術】
【０００２】
従来、封筒を封緘する作業は、手で封筒のフラップに糊付けをし、フラップを手で折り曲げて圧着するという面倒な作業であり、多数の封筒を封緘するためには多大な労力と時間を必要としていた。
【０００３】
これに対して、テープ状の糊を供給可能に設け、封筒等に転写できるようにした装置が提案されている（例えば、特許文献１参照）。
【先行技術文献】
【特許文献】
【０００４】
【特許文献１】特開２００９−１５４３８２号公報
【発明の概要】
【発明が解決しようとする課題】
【０００５】
従来の糊転写装置では、封筒のフラップにテープ状の糊を転写する場合、封筒の幅方向に糊を転写すると、１テープ当たりの糊転写可能回数は、封筒の長手方向に糊を転写する場合と比較して少なくなる。一方、封筒の長手方向に糊を塗布する場合、封筒幅に近い幅広の糊テープを使用することで、１テープ当たりの糊転写回数を増やすことができる。
【０００６】
しかし、糊テープの幅が広くなると、糊を転写した後テープからフラップを剥離する際に糊切れが悪くなり、転写範囲外に糊が残り仕上がりが悪くなる。
【０００７】
また、糊の転写から封緘までを自動で行う自動封緘機も提案されているが、大型かつ高額な装置であり、大量の封緘作業量があり省力効果が得られないと、購入費用を回収することができない。
【０００８】
本発明は、このような課題を解決するためになされたもので、簡単な構成で封筒への糊の転写を可能とした封緘装置を提供することを目的とする。
【課題を解決するための手段】
【０００９】
上述した課題を解決するため、本発明は、封筒のフラップの面に対して離接する方向に移動可能に設けられ、封筒のフラップに糊を転写する糊転写手段と、糊転写手段を移動させる操作手段と、糊転写手段が移動して封筒のフラップから退避する動作で、糊転写手段を揺動させる糊切り手段とを備えた封緘装置である。
【００１０】
本発明の封緘装置では、操作手段の操作によって糊転写手段が封筒のフラップを押圧する方向に移動する動作で、封筒のフラップに糊が転写される。また、操作手段の操作によって糊転写手段が封筒のフラップから退避する方向に移動する動作で、糊転写手段が揺動して糊切りが行われる。
【発明の効果】
【００１１】
本発明の封緘装置によれば、簡単な構成の装置で、かつ、簡単な操作により、封筒に対する糊の転写と糊切りを行うことができ、封緘作業に伴う糊付け作業を容易に行うことができる。また、低コストで装置を提供できる。
【図面の簡単な説明】
【００１２】
【図１】第１の実施の形態の封緘装置の内部構成の一例を示す側断面図である。
【図２】第１の実施の形態の封緘装置の内部構成の一例を示す正面断面図である。
【図３】第１の実施の形態の封緘装置の内部構成の一例を示す平面断面図である。
【図４】第１の実施の形態の封緘装置の内部構成の一例を示す斜視図である。
【図５】第１の実施の形態の封緘装置の動作の一例を示す動作説明図である。
【図６】第１の実施の形態の封緘装置の動作の一例を示す動作説明図である。
【図７】第１の実施の形態の封緘装置の動作の一例を示す動作説明図である。
【図８】第１の実施の形態の封緘装置の動作の一例を示す動作説明図である。
【図９】第１の実施の形態の封緘装置の変形例を示す側断面図である。
【図１０】第２の実施の形態の封緘装置の内部構成の一例を示す側断面図である。
【図１１】第２の実施の形態の封緘装置の内部構成の一例を示す平面断面図である。
【図１２】第２の実施の形態の封緘装置の動作の一例を示す動作説明図である。
【図１３】第２の実施の形態の封緘装置の動作の一例を示す動作説明図である。
【図１４】第２の実施の形態の封緘装置の動作の一例を示す動作説明図である。
【図１５】第２の実施の形態の封緘装置の動作の一例を示す動作説明図である。
【図１６】第２の実施の形態の封緘装置の動作の一例を示す動作説明図である。
【図１７】第２の実施の形態の封緘装置の動作の一例を示す動作説明図である。
【図１８】第２の実施の形態の封緘装置の動作の一例を示す動作説明図である。
【発明を実施するための形態】
【００１３】
以下、図面を参照して、本発明の封緘装置の実施の形態について説明する。
【００１４】
＜第１の実施の形態の封緘装置の構成例＞
図１は、第１の実施の形態の封緘装置の内部構成の一例を示す側断面図、図２は、第１の実施の形態の封緘装置の内部構成の一例を示す正面断面図、図３は、第１の実施の形態の封緘装置の内部構成の一例を示す平面断面図である。また、図４は、第１の実施の形態の封緘装置の内部構成の一例を示す斜視図である。
【００１５】
第１の実施の形態の封緘装置１Ａは、封緘処理の対象物である封筒１０と共に台１００に載置されて使用され、封筒１０のフラップ１１に、ハンドル２０ａの操作によって糊を転写する糊転写機構２Ａを備える。
【００１６】
また、封緘装置１Ａは、糊転写機構２Ａの動作と連動して、ハンドル２０ａの操作によってフラップ１１を折り曲げる折り曲げ機構３Ａを備える。更に、封緘装置１Ａは、糊転写機構２Ａと折り曲げ機構３Ａが取り付けられる筐体４Ａを備える。
【００１７】
糊転写機構２Ａは糊転写手段の一例で、基材に糊が塗布された糊テープ２０を封筒１０のフラップ１１に押圧し、糊を糊テープ２０からフラップ１１に転写する転写スタンプ２１Ａと、転写スタンプ２１Ａに糊テープ２０を供給する糊供給機構２３Ａを備える。
【００１８】
転写スタンプ２１Ａは転写部材の一例で、操作手段であるハンドル２０ａが上部に設けられ、封筒１０のフラップ１１の面に対して離接する方向である第１の方向、すなわち、フラップ１１を押圧する方向とフラップ１１から退避する方向に、ハンドル２０ａの操作により手動で移動可能な構成で筐体４Ａに取り付けられる。また、転写スタンプ２１Ａは、フラップ１１から退避する方向に移動する動作で揺動するように構成される。
【００１９】
転写スタンプ２１Ａは、封筒１０のフラップ１１の全面または所定の範囲を押圧する大きさの平面で構成される転写面２２ａが下面に形成される。転写面２２ａは、本例では封緘処理の対象とする最大の大きさの封筒１０のフラップ１１の長手方向と短手方向の長さに合わせた長方形状で構成される。
【００２０】
転写スタンプ２１Ａは、長手方向に沿った両側面に、それぞれ昇降ガイド軸２２ｂと揺動ガイド軸２２ｃを備える。昇降ガイド軸２２ｂと揺動ガイド軸２２ｃは、転写スタンプ２１Ａの移動方向に沿った本例では上下方向に並べて設けられ、転写スタンプ２１Ａを挟んだ両側では、昇降ガイド軸２２ｂ同士及び揺動ガイド軸２２ｃ同士が、それぞれ同軸上に設けられる。
【００２１】
糊供給機構２３Ａは、長尺状で、かつ、封緘処理の対象とする最大の大きさの封筒１０のフラップ１１の長手方向、すなわち封筒１０の幅に合わせた幅を有した糊テープ２０が巻かれた供給リール２３ｓと、供給リール２３ｓから繰り出された糊テープ２０が巻き取られる巻取リール２３ｗを備える。また、糊供給機構２３Ａは、供給リール２３ｓと巻取リール２３ｗがセットされる支持部材２４Ａを、転写スタンプ２１Ａの長手方向の両端に備える。
【００２２】
糊供給機構２３Ａは、供給リール２３ｓがセットされる供給軸２５ｓが、転写スタンプ２１Ａの短手方向に沿った一方の側面側で１対の支持部材２４Ａの間に回転可能に設けられる。また、糊供給機構２３Ａは、巻取リール２３ｗがセットされる巻取軸２５ｗが、転写スタンプ２１Ａの短手方向に沿った他方の側面側で１対の支持部材２４Ａの間に回転可能に設けられる。
【００２３】
これにより、供給リール２３ｓから繰り出された糊テープ２０が転写スタンプ２１Ａの転写面２２ａを通り、巻取リール２３ｗに巻き取られる経路で、供給軸２５ｓに供給リール２３ｓがセットされると共に、巻取軸２５ｗに巻取リール２３ｗがセットされる。
【００２４】
糊供給機構２３Ａは、転写スタンプ２１Ａの移動方向に沿って延在するラックギア２６ａを筐体４Ａに備える。また、糊供給機構２３Ａは、一方の昇降ガイド軸２２ｂと同軸上で昇降ガイド軸２２ｂとは独立して回転可能に設けられ、ラックギア２６ａと噛み合う駆動ギア２６ｂを備える。
【００２５】
更に、糊供給機構２３Ａは、巻取軸２５ｗと同軸上に設けられ、駆動ギア２６ｂと噛み合う巻取ギア２７ｗを備える。巻取ギア２７ｗは、逆回転防止手段であるラチェット式のワンウエイクラッチ、ワンウエイベアリング等を介して巻取軸２５ｗに取り付けられる。
【００２６】
駆動ギア２６ｂから駆動力が伝達されて、巻取ギア２７ｗが所定の方向に回転すると、巻取ギア２７ｗの駆動力が巻取軸２５ｗに伝達されて巻取軸２５ｗが回転し、巻取軸２５ｗにセットされた巻取リール２３ｗが回転して、糊テープ２０が巻取リール２３ｗに巻き取られる。
【００２７】
これに対し、駆動ギア２６ｂから駆動力が伝達されて、巻取ギア２７ｗが所定の方向と逆方向に回転すると、巻取ギア２７ｗが巻取軸２５ｗに対して空転し、巻取軸２５ｗに駆動力が伝達されず、巻取リール２３ｗが回転しない。なお、ワンウエイクラッチ等の逆回転防止手段は、駆動ギア２６ｂに備えても良い。また、ラックギア２６ａと噛み合う駆動ギアと、巻取ギア２７ｗと噛み合う駆動ギアを、ピッチが異なる、または歯数が異なる等による２段のギアで構成しても良い。
【００２８】
ここで、供給リール２３ｓを供給軸２５ｓに対して着脱可能に構成し、巻取リール２３ｗを巻取軸２５ｗに対して着脱可能に構成して、糊テープ２０を交換可能な構成としても良い。あるいは、支持部材２４Ａと、供給軸２５ｓ及び巻取軸２５ｗと、駆動ギア２６ｂ及び巻取ギア２７ｗをアセンブリ部品とし、転写スタンプ２１Ａに対して着脱可能な構成とすることで、糊テープ２０を交換可能な構成としても良い。
【００２９】
折り曲げ機構３Ａは折り曲げ手段の一例で、封筒１０のフラップ１１の面に沿って離接する方向である第２の方向に移動して、封筒１０のフラップ１１を折り曲げる折り曲げブロック３０と、転写スタンプ２１Ａが上下方向に移動する動作を折り曲げブロック３０に伝達するリンク部３１を備える。
【００３０】
折り曲げブロック３０は、封緘処理の対象とする最大の大きさの封筒１０のフラップ１１の長手方向の長さに合わせた長方形状で構成され、短手方向に沿った一方の側面に、台１００に載置された封筒１０のフラップ１１の下側に入り込む形状で折り曲げ斜面３０ａが形成される。また、折り曲げブロック３０は、長手方向に沿った両側面にスライドガイド軸３０ｂを備える。
【００３１】
リンク部３１は伝達手段の一例で、転写スタンプ２１Ａに連結される第１のリンク３１ａと、折り曲げブロック３０に連結される第２のリンク３１ｂを備える。第１のリンク３１ａは、本例では転写スタンプ２１Ａの昇降ガイド軸２２ｂに取り付けられた連結部材３２Ａの連結軸３３に、一方の端部である上端側が回転可能に連結される。
【００３２】
第１のリンク３１ａと第２のリンク３１ｂは、第１のリンク３１ａの他方の端部である下端側と、第２のリンク３１ｂの一方の端部である上端側が、軸３１ｃにより回転可能に連結される。そして、第２のリンク３１ｂは、折り曲げブロック３０のスライドガイド軸３０ｂに、他方の端部である下端側が回転可能に連結される。
【００３３】
筐体４Ａは、昇降ガイド軸２２ｂを介して転写スタンプ２１Ａに取り付けられた連結部材３２Ａの上面に取り付けられたハンドル２０ａが、上面に露出する。ハンドル２０ａは、コイルスプリング等のバネ２０ｂにより上方に付勢されることで、ハンドル２０ａが取り付けられた転写スタンプ２１Ａを待機位置に移動させる。
【００３４】
筐体４Ａは、台１００に載置される載置面４０が下面に形成される。載置面４０は、昇降動作で転写スタンプ２１Ａの転写面２２ａが露出すると共に、転写スタンプ２１Ａの昇降動作に連動して折り曲げブロック３０がスライド移動する開口部４０ａを備える。
【００３５】
また、載置面４０は、開口部４０ａを移動する折り曲げブロック３０の折り曲げ斜面３０ａと対向し、封筒１０を押さえる位置決め手段としての封筒押さえ部４０ｂを備える。更に、載置面４０は、封筒押さえ部４０ｂの下側に、封筒１０が挿入可能な空間を設けて挿入部４０ｃを備える。なお、挿入部４０ｃに挿入された封筒１０のフラップ１１の先端が突き当てられて、フラップ１１の転写スタンプ２１Ａに対する位置合わせが行われる位置決め手段としての突き当てガイドを備える構成としても良い。
【００３６】
筐体４Ａは、転写スタンプ２１Ａの昇降ガイド軸２２ｂと揺動ガイド軸２２ｃをガイドする昇降ガイド溝４１と、転写スタンプ２１Ａの揺動ガイド軸２２ｃをガイドする揺動ガイド溝４２を備える。また、筐体４Ａは、折り曲げブロック３０のスライドガイド軸３０ｂをガイドする第１のスライドガイド溝４３と、リンク部３１の軸３１ｃをガイドする第２のスライドガイド溝４４を備える。
【００３７】
昇降ガイド溝４１は糊切り手段を構成するガイド溝の一例で、転写スタンプ２１Ａの昇降ガイド軸２２ｂと揺動ガイド軸２２ｃが移動可能に嵌る幅を有した開口または凹部が筐体４Ａの長手方向の両側面部に設けられ、本例では載置面４０に対して直交する上下方向に延在する。
【００３８】
揺動ガイド溝４２は糊切り手段を構成するガイド溝の一例で、転写スタンプ２１Ａの揺動ガイド軸２２ｃが移動可能に嵌る幅を有した開口または凹部が筐体４Ａの長手方向の両側面部に設けられ、揺動ガイド部４２ａと戻りガイド部４２ｂを備える。
【００３９】
揺動ガイド溝４２は、本例では昇降ガイド溝４１に対して筐体４Ａの載置面４０の封筒押さえ部４０ｂ側に設けられ、揺動ガイド部４２ａと戻りガイド部４２ｂが、本例では傾斜した直線状の溝部で形成されて、三角形状の経路を構成する。
【００４０】
揺動ガイド部４２ａは、一方の端部である上端が合流部４５ａで昇降ガイド溝４１と繋がる。揺動ガイド部４２ａと戻りガイド部４２ｂは、揺動ガイド部４２ａの他方の端部である下端と、戻りガイド部４２ｂの一方の端部である上端が、曲部４２ｃで繋がる。そして、戻りガイド部４２ｂは、他方の端部である下端が分岐部４５ｂで昇降ガイド溝４１と繋がる。
【００４１】
なお、揺動ガイド部４２ａと戻りガイド部４２ｂは、曲線状の溝部で形成される形態でも良く、このような形態では、揺動ガイド溝４２は、円弧形状の経路を構成する。
【００４２】
転写スタンプ２１Ａは、昇降ガイド軸２２ｂと揺動ガイド軸２２ｃが昇降ガイド溝４１に嵌められることで、上下方向に移動可能な状態で筐体４Ａに取り付けられる。また、連結部材３２Ａが昇降ガイド軸２２ｂに取り付けられることで、転写スタンプ２１Ａと連動して連結部材３２Ａが上下方向に移動可能な状態で筐体４Ａに取り付けられる。
【００４３】
転写スタンプ２１Ａにおいて、揺動ガイド軸２２ｃに対して上側に設けられる昇降ガイド軸２２ｂは、転写スタンプ２１Ａが上下方向に移動する動作で、昇降ガイド溝４１にガイドされる。
【００４４】
すなわち、ハンドル２０ａが押されることで、転写スタンプ２１Ａが連結部材３２Ａを介して封筒１０のフラップ１１を押圧する方向に下降する動作、及び、ハンドル２０ａがバネ２０ｂにより押し上げられることで、転写スタンプ２１Ａが封筒１０のフラップ１１から退避する方向に上昇する動作で、昇降ガイド軸２２ｂは昇降ガイド溝４１にガイドされる。
【００４５】
一方、昇降ガイド軸２２ｂに対して下側に設けられる揺動ガイド軸２２ｃは、転写スタンプ２１Ａが封筒１０のフラップ１１を押圧する方向に下降する動作では、昇降ガイド溝４１にガイドされる。また、揺動ガイド軸２２ｃは、転写スタンプ２１Ａが封筒１０のフラップ１１から退避する方向に上昇する動作では、揺動ガイド溝４２にガイドされる。
【００４６】
これにより、転写スタンプ２１Ａが封筒１０のフラップ１１から退避する方向に上昇する動作では、転写スタンプ２１Ａの転写面２２ａが、封筒１０のフラップ１１に糊テープ２０の糊を転写する糊転写位置と、封筒１０のフラップ１１から糊テープ２０を剥離する糊切り位置との間で揺動するように構成される。
【００４７】
筐体４Ａは、昇降ガイド溝４１を移動する転写スタンプ２１Ａの揺動ガイド軸２２ｃを、揺動ガイド溝４２へ誘導する誘導ガイド４６を備える。誘導ガイド４６は切替手段の一例で、昇降ガイド溝４１と揺動ガイド溝４２の分岐部４５ｂに設けられ、バネ４６ａにより軸４６ｂを支点に回転して、昇降ガイド溝４１内のガイド位置に突出する方向に付勢される。
【００４８】
誘導ガイド４６は、昇降ガイド溝４１内のガイド位置に突出した状態で、転写スタンプ２１Ａの揺動ガイド軸２２ｃに押圧される押圧面４６ｃが上面側に設けられ、揺動ガイド軸２２ｃをガイドするガイド面４６ｄが下面側に設けられる。また、誘導ガイド４６は、押圧面４６ｃとガイド面４６ｄが、軸４６ｂに対して下側に設けられる。
【００４９】
誘導ガイド４６は、転写スタンプ２１Ａが封筒１０のフラップ１１を押圧する方向に下降する動作では、昇降ガイド溝４１を下降する揺動ガイド軸２２ｃが押圧面４６ｃに接触する。誘導ガイド４６は、揺動ガイド軸２２ｃに押圧面４６ｃが押されると、押圧面４６ｃと軸４６ｂの位置関係から、バネ４６ａの力に抗して軸４６ｂを支点に回転し、昇降ガイド溝４１から退避して、揺動ガイド軸２２ｃが通過可能となる。揺動ガイド軸２２ｃが通過すると、誘導ガイド４６はバネ４６ａに付勢されてガイド位置に復帰する。
【００５０】
一方、誘導ガイド４６は、転写スタンプ２１Ａが封筒１０のフラップ１１から退避する方向に上昇する動作では、昇降ガイド溝４１を上昇する揺動ガイド軸２２ｃがガイド面４６ｄに接触する。誘導ガイド４６は、揺動ガイド軸２２ｃにガイド面４６ｄが押されても、ガイド面４６ｄと軸４６ｂの位置関係から、バネ４６ａの力で昇降ガイド溝４１から退避せず、誘導ガイド４６のガイド面４６ｄにより、揺動ガイド軸２２ｃを揺動ガイド溝４２の揺動ガイド部４２ａに誘導する。
【００５１】
転写スタンプ２１Ａが上昇する動作で、揺動ガイド軸２２ｃが揺動ガイド溝４２の揺動ガイド部４２ａにガイドされると、転写スタンプ２１Ａは、昇降ガイド溝４１にガイドされる昇降ガイド軸２２ｂを支点に本例では封筒押さえ部４０ｂ方向へ回転して、糊転写位置から糊切り位置に移動する。
【００５２】
転写スタンプ２１Ａの上昇に伴って、揺動ガイド軸２２ｃが揺動ガイド溝４２の戻りガイド部４２ｂにガイドされると、転写スタンプ２１Ａは、昇降ガイド軸２２ｂを支点に回転して、糊切り位置から糊転写位置へ移動する。そして、転写スタンプ２１Ａの上昇に伴って、揺動ガイド軸２２ｃが揺動ガイド溝４２の戻りガイド部４２ｂから合流部４５ａで昇降ガイド溝４１に戻る。
【００５３】
ラックギア２６ａは、昇降ガイド溝４１に沿って延在し、昇降ガイド溝４１に昇降ガイド軸２２ｂと揺動ガイド軸２２ｃがガイドされて転写スタンプ２１Ａが上下方向に移動することで、ラックギア２６ａとかみ合う駆動ギア２６ｂが回転する。
【００５４】
転写スタンプ２１Ａが封筒１０のフラップ１１を押圧する方向に下降する動作で、ラックギア２６ａと噛み合う駆動ギア２６ｂが一の方向に回転すると、駆動ギア２６ｂとかみ合う巻取ギア２７ｗが一の方向に回転する。
【００５５】
本例では、巻取ギア２７ｗが一の方向に回転すると、図示しないワンウエイクラッチにより巻取ギア２７ｗが巻取軸２５ｗに対して空転し、巻取軸２５ｗに駆動力が伝達されず、巻取リール２３ｗが回転しないように構成される。
【００５６】
これにより、転写スタンプ２１Ａが封筒１０のフラップ１１を押圧する方向に下降する動作では、糊テープ２０が巻取リール２３ｗに巻き取られない。
【００５７】
転写スタンプ２１Ａが封筒１０のフラップ１１から退避する方向に上昇する動作で、ラックギア２６ａと噛み合う駆動ギア２６ｂが他の方向に回転すると、駆動ギア２６ｂとかみ合う巻取ギア２７ｗが他の方向に回転する。
【００５８】
本例では、巻取ギア２７ｗが他の方向に回転すると、図示しないワンウエイクラッチにより巻取ギア２７ｗの駆動力が巻取軸２５ｗに伝達されて巻取軸２５ｗが回転し、巻取軸２５ｗにセットされた巻取リール２３ｗが回転する。
【００５９】
これにより、転写スタンプ２１Ａが封筒１０のフラップ１１から退避する方向に上昇する動作では、糊テープ２０が巻取リール２３ｗに巻き取られると共に、供給リール２３ｓから糊テープ２０が繰り出され、転写スタンプ２１Ａの昇降動作に連動して、転写スタンプ２１Ａの転写面２２ａに糊テープ２０が供給される。
【００６０】
駆動ギア２６ｂは、昇降ガイド軸２２ｂと同軸上に設けられることで、転写スタンプ２１Ａが昇降ガイド軸２２ｂを支点に揺動する動作で、左右方向に移動せず、ラックギア２６ａとのかみ合い状態が保持される。
【００６１】
第１のスライドガイド溝４３は、折り曲げブロック３０のスライドガイド軸３０ｂが移動可能に嵌る幅を有した開口または凹部が筐体４Ａの長手方向の両側面部に設けられ、本例では載置面４０に対して平行な水平方向に延在する。
【００６２】
第２のスライドガイド溝４４は、リンク部３１の軸３１ｃが移動可能に嵌る幅を有した開口または凹部が筐体４Ａの長手方向の両側面部に設けられ、本例では昇降ガイド溝４１に対して平行な上下方向に延在する。
【００６３】
折り曲げブロック３０は、スライドガイド軸３０ｂが第１のスライドガイド溝４３に嵌められることで、筐体４Ａの載置面４０の開口部４０ａに、転写スタンプ２１Ａの昇降方向に対して直交し載置面４０に沿った水平方向に移動可能な状態で取り付けられる。
【００６４】
リンク部３１は、軸３１ｃが第２のスライドガイド溝４４に嵌められることで、第１のリンク３１ａと第２のリンク３１ｂが連結される軸３１ｃが、上下方向に移動可能な状態で筐体４Ａに取り付けられる。
【００６５】
転写スタンプ２１Ａが上下方向に移動する動作は、リンク部３１により折り曲げブロック３０に伝達される。リンク部３１は、第１のリンク３１ａの上端側が、転写スタンプ２１Ａと一体に上下方向に移動する連結部材３２Ａの連結軸３３に回転可能に連結される。
【００６６】
また、リンク部３１は、軸３１ｃが第２のスライドガイド溝４４にガイドされることで、第１のリンク３１ａの下端側と第２のリンク３１ｂの上端側の移動方向が上下方向に規制される。更に、リンク部３１は、第２のリンク３１ｂの下端側が、水平方向に移動する折り曲げブロック３０のスライドガイド軸３０ｂに回転可能に連結される。
【００６７】
これにより、転写スタンプ２１Ａが上下方向に移動する動作で、リンク部３１は、第１のリンク３１ａの上端側が連結される連結軸３３と下端側が連結される軸３１ｃが上下方向に移動することで、第１のリンク３１ａが、角度が変化することなく上下方向に移動する。
【００６８】
一方、リンク部３１は、第２のリンク３１ｂの上端側が連結される軸３１ｃが上下方向に移動し、下端側が連結されるスライドガイド軸３０ｂが水平方向に移動することで、第２のリンク３１ｂが、軸３１ｃの上下方向の移動に伴い軸３１ｃを支点に回転して、第２のリンク３１ｂが連結されたスライドガイド軸３０ｂが水平方向に移動する。これにより、転写スタンプ２１Ａが上下方向に移動する動作が折り曲げブロック３０に伝達され、折り曲げブロック３０の水平方向の動作に変換される。
【００６９】
折り曲げブロック３０は、転写スタンプ２１Ａが封筒１０のフラップ１１を押圧する方向に下降する動作では、折り曲げ斜面３０ａが、筐体４Ａの封筒押さえ部４０ｂから離れる方向に移動する。また、折り曲げブロック３０は、転写スタンプ２１Ａが封筒１０のフラップ１１から退避する方向に上昇する動作では、折り曲げ斜面３０ａが、筐体４Ａの封筒押さえ部４０ｂに近づく方向に移動する。
【００７０】
＜第１の実施の形態の封緘装置の動作例＞
図５〜図８は、第１の実施の形態の封緘装置の動作の一例を示す動作説明図で、次に、各図を参照して封緘装置１Ａにおける封緘動作について説明する。
【００７１】
まず、図５に示すように、台１００に封緘装置１Ａが載置され、挿入部４０ｃから封筒１０が挿入されて、封筒１０が封緘装置１Ａに対して位置合わせされる。または、台１００に封筒１０が載置され、封緘装置１Ａが台１００に載置されて、封緘装置１Ａが封筒１０に対して位置合わせされる。
【００７２】
封緘装置１Ａと封筒１０が位置合わせされて台１００に載置され、ハンドル２０ａが作業者により下方へ向けて押される。封緘装置１Ａは、ハンドル２０ａが押されると、連結部材３２Ａにより昇降ガイド軸２２ｂが押されることで、昇降ガイド軸２２ｂと揺動ガイド軸２２ｃが昇降ガイド溝４１にガイドされて、転写スタンプ２１Ａが封筒１０のフラップ１１を押圧する方向に下降する。
【００７３】
転写スタンプ２１Ａが封筒１０のフラップ１１を押圧する方向に下降する動作で、ラックギア２６ａと噛み合う駆動ギア２６ｂが一の方向に回転すると、駆動ギア２６ｂとかみ合う巻取ギア２７ｗが一の方向である矢印ａ方向に回転する。
【００７４】
巻取ギア２７ｗが矢印ａ方向に回転すると、図示しないワンウエイクラッチにより巻取ギア２７ｗが巻取軸２５ｗに対して空転し、巻取軸２５ｗに駆動力が伝達されず、巻取リール２３ｗが回転しない。これにより、転写スタンプ２１Ａが封筒１０のフラップ１１を押圧する方向に下降する動作では、糊テープ２０が巻取リール２３ｗに巻き取られない。なお、本実施の形態では、転写スタンプ２１Ａの上昇時に糊テープ２０の巻き取りを行っているが、転写スタンプ２１Ａの下降時に糊テープ２０の巻き取りを行う構成としてもよい。また、糊テープ２０の巻き取り側と供給側の配置を、転写スタンプ２１Ａを挟んで反転させ、糊テープ２０の送り方向を逆向きとする構成としてもよい。
【００７５】
また、転写スタンプ２１Ａが封筒１０のフラップ１１を押圧する方向に下降する動作で、揺動ガイド軸２２ｃに押圧面４６ｃが押され、誘導ガイド４６が昇降ガイド溝４１から退避して、揺動ガイド軸２２ｃが通過可能となる。揺動ガイド軸２２ｃが通過すると、誘導ガイド４６はバネ４６ａに付勢されてガイド位置に復帰する。
【００７６】
更に、転写スタンプ２１Ａが封筒１０のフラップ１１を押圧する方向に下降する動作がリンク部３１で折り曲げブロック３０に伝達され、折り曲げブロック３０は、折り曲げ斜面３０ａが筐体４Ａの封筒押さえ部４０ｂから離れる方向に移動する。
【００７７】
図６に示すように、ハンドル２０ａが押し下げられて転写スタンプ２１Ａの転写面２２ａが封筒１０のフラップ１１に押圧されると、転写面２２ａを通る糊テープ２０がフラップ１１に押圧され、糊がフラップ１１に転写される。
【００７８】
糊がフラップ１１に転写された後、ハンドル２０ａから手を離すと、バネ２０ｂによりハンドル２０ａが上方に付勢される。ハンドル２０ａがバネ２０ｂにより押し上げられることで、昇降ガイド軸２２ｂが昇降ガイド溝４１にガイドされて、転写スタンプ２１Ａが封筒１０のフラップ１１から退避する方向に上昇する。
【００７９】
転写スタンプ２１Ａが封筒１０のフラップ１１から退避する方向に上昇する動作で、ラックギア２６ａと噛み合う駆動ギア２６ｂが他の方向に回転すると、駆動ギア２６ｂとかみ合う巻取ギア２７ｗが他の方向である矢印ｂ方向に回転する。
【００８０】
巻取ギア２７ｗが矢印ｂ方向に回転すると、図示しないワンウエイクラッチにより巻取ギア２７ｗの駆動力が巻取軸２５ｗに伝達されて巻取軸２５ｗが回転し、巻取軸２５ｗにセットされた巻取リール２３ｗが矢印ｂ方向に回転する。
【００８１】
これにより、転写スタンプ２１Ａが封筒１０のフラップ１１から退避する方向に上昇する動作では、糊テープ２０が巻取リール２３ｗに巻き取られると共に、供給リール２３ｓから糊テープ２０が繰り出され、転写スタンプ２１Ａの昇降動作に連動して、転写スタンプ２１Ａの転写面２２ａに糊テープ２０が供給され、次回の糊の転写に備えることができる。なお、糊テープ２０の供給量は、転写面２２ａの短手方向の長さと略同等となるようにギア比等が設定されることで、糊テープ２０の無駄を省くことができる。
【００８２】
転写スタンプ２１Ａが封筒１０のフラップ１１から退避する方向に上昇する動作では、昇降ガイド溝４１を上昇する揺動ガイド軸２２ｃが、誘導ガイド４６のガイド面４６ｄにより、分岐部４５ｂで揺動ガイド溝４２の揺動ガイド部４２ａに誘導される。
【００８３】
転写スタンプ２１Ａが上昇する動作で、揺動ガイド軸２２ｃが揺動ガイド溝４２の揺動ガイド部４２ａにガイドされると、図７に示すように、転写スタンプ２１Ａは、昇降ガイド溝４１にガイドされる昇降ガイド軸２２ｂを支点に矢印ｃで示す封筒押さえ部４０ｂ方向へ回転して、糊転写位置から糊切り位置に移動する。
【００８４】
このとき、転写スタンプ２１Ａの転写面２２ａに位置する糊テープ２０は、フラップ１１が貼り付いた状態で上昇しつつ、転写スタンプ２１Ａがフラップ１１の短手方向に沿って糊切り位置に移動する。また、糊テープ２０は、巻取リール２３ｗに巻き取られる動作により、転写スタンプ２１Ａの移動方向と反対方向の矢印ｄ方向に送られる。これにより、フラップ１１に合わせて幅広な糊テープ２０が、糊をフラップ１１に転写してフラップ１１から剥離されて糊切りされる。
【００８５】
糊テープ２０は、封筒１０の幅に合わせられたもので、１テープ当たりの転写可能回数を増やすことができる。また、このような幅広の糊テープ２０であっても、転写スタンプ２１Ａを揺動させることで、転写範囲に合わせた糊切りが確実に行われる。
【００８６】
転写スタンプ２１Ａの上昇に伴って、揺動ガイド軸２２ｃが揺動ガイド溝４２の戻りガイド部４２ｂにガイドされると、転写スタンプ２１Ａは、昇降ガイド軸２２ｂを支点に回転して、糊切り位置から糊転写位置へ移動する。そして、転写スタンプ２１Ａの上昇に伴って、揺動ガイド軸２２ｃが揺動ガイド溝４２の戻りガイド部４２ｂから合流部４５ａで昇降ガイド溝４１に戻る。
【００８７】
また、転写スタンプ２１Ａが封筒１０のフラップ１１から退避する方向に上昇する動作がリンク部３１で折り曲げブロック３０に伝達され、折り曲げブロック３０は、折り曲げ斜面３０ａが筐体４Ａの封筒押さえ部４０ｂに近づく方向に移動する。
【００８８】
折り曲げブロック３０は、折り曲げ斜面３０ａが筐体４Ａの封筒押さえ部４０ｂに近づく方向に移動すると、上述した糊切り動作で持ち上げられたフラップ１１の下側に折り曲げ斜面３０ａが入る。封筒１０は、筐体４Ａの封筒押さえ部４０ｂで押さえられている。
【００８９】
これにより、図８に示すように、転写スタンプ２１Ａが待機位置まで戻り、折り曲げ斜面３０ａが封筒押さえ部４０ｂに当接するまで折り曲げブロック３０が水平移動すると、折り曲げ斜面３０ａと封筒押さえ部４０ｂに挟まれたフラップ１１は、封筒１０に対して折り曲げられて折り目がつけられる。
【００９０】
そして、封筒１０を封緘装置１Ａから抜く、あるいは、封緘装置１Ａを台１００から移動させることで、フラップ１１からはみ出ることなくフラップ１１に糊が付けられていると共に、フラップ１１に直線状の折り目が付けられた封筒１０が得られる。
【００９１】
後は、フラップ１１を作業者が人手で曲げれば、容易かつ綺麗に封緘処理を行うことができる。すなわち、上述した糊切り動作によりフラップ１１からはみ出さないように、フラップ１１に糊が転写されているので、封緘後に糊が外にはみ出すことはなく、仕上がりの品質が向上する。また、上述した折り曲げ動作で折り曲げブロック３０により直線状の折り目を付けることができるので、折り目に沿ってフラップ１１を容易に折り曲げることができ、折り目が曲がることがない。
【００９２】
封緘装置１Ａは、ハンドル２０ａを往復させる操作で糊の転写とフラップ１１の折り曲げを行うことができ、操作が容易である。また、構成が簡単な装置であり、小型かつ低コストで提供することができる。封緘装置１Ａでは、糊が付けられたフラップを圧着するところまで行う装置ではないが、フラップ１１に折り目をつける工程までを行うことで、糊が付けられたフラップを直接触って折り目を付ける作業は不要となり、作業効率は改善する。なお、転写スタンプ２１Ａの上下動は、手動に限らず、既知の技術により電動化しても良い。
【００９３】
＜第１の実施の形態の封緘装置の変形例＞
図９は、第１の実施の形態の封緘装置の変形例を示す側断面図である。図９に示す変形例の封緘装置１Ｂは、糊供給機構２３Ｂに、供給軸２５ｓと同軸上に設けられて供給軸２５ｓと一体に回転し、駆動ギア２６ｂと噛み合う供給ギア２７ｓを備え、転写スタンプ２１Ａの昇降動作に連動して、巻取リール２３ｗに加えて供給リール２３ｓを回転するようにしたものである。他の構成及び動作は、上述した封緘装置１Ａと同じ構成であるので、説明を省略する。
【００９４】
糊供給機構２３Ｂでは、供給ギア２７ｓは巻取ギア２７ｗより歯数が多く、駆動ギア２６ｂに対して巻取ギア２７ｗは供給ギア２７ｓよりギア比が高く構成され、駆動ギア２６ｂと噛み合う巻取ギア２７ｗと供給ギア２７ｓの間で、回転量を異ならせ、巻取ギア２７ｗの方が、供給ギア２７ｓより回転量が多くなるように構成される。また、供給ギア２７ｓには、供給軸２５ｓとの間に図示しないスリップ機構やトルクリミッタ等のトルククラッチが設けられる。
【００９５】
これにより、上述したように、転写スタンプ２１Ａの昇降動作に連動して、糊テープ２０が巻取リール２３ｗに巻き取られると共に、供給リール２３ｓから糊テープ２０が繰り出される。
【００９６】
そして、巻取リール２３ｗでの糊テープ２０の巻取量の方が、供給リール２３ｓでの繰り出し量より多く、かつ、巻取量と繰り出し量の差を図示しないトルククラッチで吸収することで、糊テープ２０に常にテンションを掛けながら送ることができ、糊テープ２０が弛むことを防止できる。
【００９７】
＜第２の実施の形態の封緘装置の構成例＞
図１０は、第２の実施の形態の封緘装置の内部構成の一例を示す側断面図、図１１は、第２の実施の形態の封緘装置の内部構成の一例を示す平面断面図である。第２の実施の形態の封緘装置１Ｃは、封筒１０のフラップ１１に、ハンドル２０ａの操作によって糊を転写する糊転写機構２Ｃを備える。
【００９８】
また、封緘装置１Ｃは、糊転写機構２Ｃの動作と連動して、ハンドル２０ａの操作によってフラップ１１に折り目を付ける折り目付け機構３Ｃを備える。更に、封緘装置１Ｃは、糊転写機構２Ｃと折り目付け機構３Ｃが取り付けられる筐体４Ｃを備える。
【００９９】
糊転写機構２Ｃは糊転写手段の一例で、基材に糊が塗布された糊テープ２０を封筒１０のフラップ１１に押圧し、糊を糊テープ２０からフラップ１１に転写する転写スタンプ２１Ｃと、転写スタンプ２１Ｃに糊テープ２０を供給する糊供給機構２３Ｃを備える。
【０１００】
転写スタンプ２１Ｃは転写部材の一例で、封筒１０のフラップ１１の面に対して離接する方向、すなわち、フラップ１１を押圧する方向とフラップ１１から退避する方向に、ハンドル２０ａの操作により手動で移動可能な構成で筐体４Ｃに取り付けられる。また、転写スタンプ２１Ｃは、フラップ１１から退避する方向に移動する動作で揺動するように構成される。
【０１０１】
転写スタンプ２１Ｃは、封筒１０のフラップ１１の全面または所定の範囲を押圧する大きさの平面で構成される転写面２２ａが下面に形成される。転写面２２ａは、本例では封緘処理の対象とする最大の大きさの封筒１０のフラップ１１の長手方向と短手方向の長さに合わせた長方形状で構成される。
【０１０２】
転写スタンプ２１Ｃは、長手方向に沿った両側面に、それぞれ昇降ガイド軸２２ｂと揺動ガイド軸２２ｃを備える。昇降ガイド軸２２ｂと揺動ガイド軸２２ｃは、転写スタンプ２１Ｃの移動方向に沿った本例では上下方向に並べて設けられる。
【０１０３】
昇降ガイド軸２２ｂと揺動ガイド軸２２ｃは、転写スタンプ２１Ｃを長手方向に貫通して形成された穴部に挿入されて、転写スタンプ２１Ｃの長手方向の両側面から突出する形態で転写スタンプ２１Ｃに取り付けられる。これにより、転写スタンプ２１Ｃを挟んだ両側では、昇降ガイド軸２２ｂ同士及び揺動ガイド軸２２ｃ同士が、それぞれ同軸上に設けられる。
【０１０４】
転写スタンプ２１Ｃは、短手方向に沿った一方の側面に、折り目付け手段を構成する折り目付けプレート押圧部材２２ｄを備える。また、転写スタンプ２１Ｃは、短手方向に沿った他方の側面に、位置決め手段を構成するストッパプレート押圧部材２２ｅを備える。
【０１０５】
糊供給機構２３Ｃは、長尺状で、かつ、封緘処理の対象とする最大の大きさの封筒１０のフラップ１１の長手方向、すなわち封筒１０の幅に合わせた幅を有した糊テープ２０が巻かれた供給リール２３ｓと、供給リール２３ｓから繰り出された糊テープ２０が巻き取られる巻取リール２３ｗを備える。また、糊供給機構２３Ｃは、供給リール２３ｓと巻取リール２３ｗがセットされる支持部材２４Ｃを、転写スタンプ２１Ｃの長手方向の両端に備える。
【０１０６】
糊供給機構２３Ｃは、供給リール２３ｓがセットされる供給軸２５ｓが、転写スタンプ２１Ｃの短手方向に沿った一方の側面側で１対の支持部材２４Ｃの間に回転可能に設けられる。また、糊供給機構２３Ｃは、巻取リール２３ｗがセットされる巻取軸２５ｗが、転写スタンプ２１Ｃの短手方向に沿った他方の側面側で１対の支持部材２４Ｃの間に回転可能に設けられる。
【０１０７】
これにより、供給リール２３ｓから繰り出された糊テープ２０が転写スタンプ２１Ｃの転写面２２ａを通り、巻取リール２３ｗに巻き取られる経路で、供給軸２５ｓに供給リール２３ｓがセットされると共に、巻取軸２５ｗに巻取リール２３ｗがセットされる。
【０１０８】
糊供給機構２３Ｃは、転写スタンプ２１Ｃの移動方向に沿って延在するラックギア２６ａを筐体４Ｃに備える。また、糊供給機構２３Ｃは、一方の昇降ガイド軸２２ｂと同軸上に回転可能に設けられる第１の駆動ギア２６ｃと第２の駆動ギア２６ｄを備える。
【０１０９】
第１の駆動ギア２６ｃと第２の駆動ギア２６ｄは、逆回転防止手段としてのワンウエイクラッチ２６ｅを介して昇降ガイド軸２２ｂに取り付けられ、第１の駆動ギア２６ｃの回転がワンウエイクラッチ２６ｅを介して第２の駆動ギア２６ｄに伝達される。
【０１１０】
第１の駆動ギア２６ｃは、転写スタンプ２１Ｃの昇降動作でラックギア２６ａと噛み合い、転写スタンプ２１Ｃの移動方向に応じて所定の方向、及び所定の方向と逆方向の正逆両方向に回転する。
【０１１１】
第２の駆動ギア２６ｄは、第１の駆動ギア２６ｃが所定の方向に回転すると、ワンウエイクラッチ２６ｅを介して第１の駆動ギア２６ｃから駆動力が伝達されて、第１の駆動ギア２６ｃと同方向に回転する。これに対して、第２の駆動ギア２６ｄは、第１の駆動ギア２６ｃが所定の方向と逆方向に回転すると、ワンウエイクラッチ２６ｅにより第１の駆動ギア２６ｃに対して空転する。
【０１１２】
糊供給機構２３Ｃは、巻取軸２５ｗと同軸上に設けられ、第２の駆動ギア２６ｄと噛み合う巻取ギア２７ｗと、供給軸２５ｓと同軸上に設けられ、第２の駆動ギア２６ｄと噛み合う供給ギア２７ｓを備える。
【０１１３】
巻取ギア２７ｗは、巻取軸２５ｗと一体に回転する。供給ギア２７ｓは、巻取ギア２７ｗより歯数が多く、第２の駆動ギア２６ｄに対して、巻取ギア２７ｗが供給ギア２７ｓよりギア比が高く構成され、第２の駆動ギア２６ｄと噛み合う巻取ギア２７ｗと供給ギア２７ｓの間で回転量を異ならせ、巻取ギア２７ｗの方が、供給ギア２７ｓより回転量が多くなるように構成される。また、供給ギア２７ｓは、供給軸２５ｓとの間にトルクリミッタ２６ｆが設けられる。
【０１１４】
糊供給機構２３Ｃでは、第２の駆動ギア２６ｄから駆動力が伝達されて、巻取ギア２７ｗが所定の方向に回転すると、巻取ギア２７ｗの駆動力が巻取軸２５ｗに伝達されて巻取軸２５ｗが回転し、巻取軸２５ｗにセットされた巻取リール２３ｗが回転して、糊テープ２０が巻取リール２３ｗに巻き取られる。
【０１１５】
また、糊供給機構２３Ｃでは、第２の駆動ギア２６ｄから駆動力が伝達されて、供給ギア２７ｓが所定の方向に回転すると、供給ギア２７ｓの駆動力が供給軸２５ｓに伝達されて供給軸２５ｓが回転し、供給軸２５ｓにセットされた供給リール２３ｓが回転して、糊テープ２０が供給リール２３ｓから繰り出される。
【０１１６】
そして、巻取リール２３ｗでの糊テープ２０の巻取量の方が、供給リール２３ｓでの繰り出し量より多く、かつ、巻取量と繰り出し量の差をトルクリミッタ２６ｆで吸収することで、糊テープ２０には常にテンションが掛けられながら送られる。
【０１１７】
ここで、供給リール２３ｓを供給軸２５ｓに対して着脱可能に構成し、巻取リール２３ｗを巻取軸２５ｗに対して着脱可能に構成して、糊テープ２０を交換可能な構成としても良い。
【０１１８】
折り目付け機構３Ｃは折り目付け手段の一例で、封筒１０のフラップ１１の面に対して離接する方向に移動して、封筒１０のフラップ１１に折り目を付ける折り目付けプレート３０Ｃを備える。
【０１１９】
折り目付けプレート３０Ｃは、封緘処理の対象とする最大の大きさの封筒１０の幅に合わせた長さを有し、軸３４ａを支点とした回転動作で、封筒１０とフラップ１１の境目を押圧する方向と退避する方向に移動する。折り目付けプレート３０Ｃは、ねじりコイルバネ等のバネ３４ｂにより、フラップ１１から退避する方向に付勢される。
【０１２０】
折り目付けプレート３０Ｃは、転写スタンプ２１Ｃの昇降動作が折り目付けプレート押圧部材２２ｄにより伝達されて、軸３４ａを支点とした回転動作を行い、転写スタンプ２１Ｃが下降する動作で、封筒１０とフラップ１１の境目を押圧する。また、転写スタンプ２１Ｃが上昇する動作で、バネ３４ｂによりフラップ１１から退避する。
【０１２１】
筐体４Ｃは、転写スタンプ２１Ｃと共に昇降ガイド軸２２ｂに支持された連結部材３２Ｃの上部に取り付けられたハンドル２０ａが、上面に露出する。ハンドル２０ａは、コイルスプリング等のバネ２０ｂにより上方に付勢されることで、ハンドル２０ａが取り付けられた転写スタンプ２１Ｃを待機位置に移動させる。
【０１２２】
筐体４Ｃは、封筒１０が載置される封筒載置部４７を備える。封筒載置部４７は、封筒１０が挿入される挿入部４７ａを、筐体４Ｃの一の側面に備える。また、封筒載置部４７は、折り目付けプレート３０Ｃと対向して折り目付け台４７ｂを備える。更に、封筒載置部４７は、転写スタンプ２１Ｃの転写面２２ａと対向して糊付け台４７ｃを備える。
【０１２３】
折り目付け台４７ｂは、例えばゴム等の弾性変形可能な材質で構成され、折り目付けプレート３０Ｃで封筒１０とフラップ１１の境目を押圧する力を受けて弾性変形することで、封筒１０とフラップ１１の境目に折り目が付けられる。糊付け台４７ｃは、金属または所定の剛性を有した樹脂等で構成され、転写スタンプ２１Ｃで糊テープ２０を封筒１０のフラップ１１に押圧する力を受けることで、糊テープ２０の糊がフラップ１１に転写される。
【０１２４】
封筒載置部４７は、挿入部４７ａから挿入された封筒１０の位置を規制するストッパプレート４８を備える。ストッパプレート４８は位置決め手段の一例で、挿入部４７ａから挿入された封筒１０のフラップ１１の先端が突き当てられ、挿入部４７ａから挿入された封筒１０のフラップ１１と転写スタンプ２１Ｃとの位置合わせ、及び封筒１０とフラップ１１の境目と折り目付けプレート３０Ｃとの位置合わせが行われる。
【０１２５】
ストッパプレート４８は、本例では、軸４８ａを支点とした回転動作で、封筒載置部４７の糊付け台４７ｃから突出する方向と退避する方向に移動する。ストッパプレート４８は、ねじりコイルバネ等のバネ４８ｂにより、糊付け台４７ｃから突出する方向に付勢される。
【０１２６】
ストッパプレート４８は、転写スタンプ２１Ｃの昇降動作がストッパプレート押圧部材２２ｅにより伝達されて、軸４８ａを支点とした回転動作を行い、転写スタンプ２１Ｃが下降する動作で、糊付け台４７ｃから退避する。また、転写スタンプ２１Ｃが上昇する動作で、バネ４８ｂにより糊付け台４７ｃから突出する。
【０１２７】
筐体４Ｃは、転写スタンプ２１Ｃの昇降ガイド軸２２ｂと揺動ガイド軸２２ｃをガイドする昇降ガイド溝４１と、転写スタンプ２１Ｃの揺動ガイド軸２２ｃをガイドする揺動ガイド溝４２を備える。
【０１２８】
昇降ガイド溝４１は糊切り手段を構成するガイド溝の一例で、転写スタンプ２１Ｃの昇降ガイド軸２２ｂと揺動ガイド軸２２ｃが移動可能に嵌る幅を有した開口または凹部が筐体４Ｃの長手方向の両側面部に設けられ、本例では封筒載置部４７の糊付け台４７ｃに対して直交する上下方向に延在する。
【０１２９】
揺動ガイド溝４２は糊切り手段を構成するガイド溝の一例で、転写スタンプ２１Ｃの揺動ガイド軸２２ｃが移動可能に嵌る幅を有した開口または凹部が筐体４Ｃの長手方向の両側面部に設けられ、揺動ガイド部４２ａと戻りガイド部４２ｂを備える。
【０１３０】
揺動ガイド溝４２は、本例では昇降ガイド溝４１に対して筐体４Ｃの挿入部４７ａ側に設けられ、揺動ガイド部４２ａと戻りガイド部４２ｂが、本例では傾斜した直線状の溝部で形成されて、三角形状の経路を構成する。
【０１３１】
揺動ガイド部４２ａは、一方の端部である上端が合流部４５ａで昇降ガイド溝４１と繋がる。揺動ガイド部４２ａと戻りガイド部４２ｂは、揺動ガイド部４２ａの他方の端部である下端と、戻りガイド部４２ｂの一方の端部である上端が、曲部４２ｃで繋がる。そして、戻りガイド部４２ｂは、他方の端部である下端が分岐部４５ｂで昇降ガイド溝４１と繋がる。
【０１３２】
なお、揺動ガイド部４２ａと戻りガイド部４２ｂは、曲線状の溝部で形成される形態でも良く、このような形態では、揺動ガイド溝４２は、円弧形状の経路を構成する。
【０１３３】
転写スタンプ２１Ｃは、昇降ガイド軸２２ｂと揺動ガイド軸２２ｃが昇降ガイド溝４１に嵌められることで、上下方向に移動可能な状態で筐体４Ｃに取り付けられる。
【０１３４】
転写スタンプ２１Ｃにおいて、揺動ガイド軸２２ｃに対して上側に設けられる昇降ガイド軸２２ｂは、転写スタンプ２１Ｃが上下方向に移動する動作で、昇降ガイド溝４１にガイドされる。
【０１３５】
すなわち、ハンドル２０ａが押されることで、転写スタンプ２１Ｃが連結部材３２Ｃを介して封筒１０のフラップ１１を押圧する方向に下降する動作、及び、ハンドル２０ａがバネ２０ｂにより押し上げられることで、転写スタンプ２１Ｃが封筒１０のフラップ１１から退避する方向に上昇する動作で、昇降ガイド軸２２ｂは昇降ガイド溝４１にガイドされる。
【０１３６】
一方、昇降ガイド軸２２ｂに対して下側に設けられる揺動ガイド軸２２ｃは、転写スタンプ２１Ｃが封筒１０のフラップ１１を押圧する方向に下降する動作では、昇降ガイド溝４１にガイドされる。また、揺動ガイド軸２２ｃは、転写スタンプ２１Ｃが封筒１０のフラップ１１から退避する方向に上昇する動作では、揺動ガイド溝４２にガイドされる。
【０１３７】
これにより、転写スタンプ２１Ｃが封筒１０のフラップ１１から退避する方向に上昇する動作では、転写スタンプ２１Ｃの転写面２２ａが、封筒１０のフラップ１１に糊テープ２０の糊を転写する糊転写位置と、封筒１０のフラップ１１から糊テープ２０を剥離する糊切り位置との間で揺動するように構成される。
【０１３８】
筐体４Ｃは、昇降ガイド溝４１を移動する転写スタンプ２１Ｃの揺動ガイド軸２２ｃを、揺動ガイド溝４２へ誘導する誘導ガイド４６を備える。誘導ガイド４６は切替手段の一例で、昇降ガイド溝４１と揺動ガイド溝４２の分岐部４５ｂに設けられ、バネ４６ａにより軸４６ｂを支点に回転して、昇降ガイド溝４１内のガイド位置に突出する方向に付勢される。
【０１３９】
誘導ガイド４６は、昇降ガイド溝４１内のガイド位置に突出した状態で、転写スタンプ２１Ｃの揺動ガイド軸２２ｃに押圧される押圧面４６ｃが上面側に設けられ、揺動ガイド軸２２ｃをガイドするガイド面４６ｄが下面側に設けられる。また、誘導ガイド４６は、押圧面４６ｃとガイド面４６ｄが、軸４６ｂに対して下側に設けられる。
【０１４０】
誘導ガイド４６は、転写スタンプ２１Ｃが封筒１０のフラップ１１を押圧する方向に下降する動作では、昇降ガイド溝４１を下降する揺動ガイド軸２２ｃが押圧面４６ｃに接触する。誘導ガイド４６は、揺動ガイド軸２２ｃに押圧面４６ｃが押されると、押圧面４６ｃと軸４６ｂの位置関係から、バネ４６ａの力に抗して軸４６ｂを支点に回転し、昇降ガイド溝４１から退避して、揺動ガイド軸２２ｃが通過可能となる。揺動ガイド軸２２ｃが通過すると、誘導ガイド４６はバネ４６ａに付勢されてガイド位置に復帰する。
【０１４１】
一方、誘導ガイド４６は、転写スタンプ２１Ｃが封筒１０のフラップ１１から退避する方向に上昇する動作では、昇降ガイド溝４１を上昇する揺動ガイド軸２２ｃがガイド面４６ｄに接触する。誘導ガイド４６は、揺動ガイド軸２２ｃにガイド面４６ｄが押されても、ガイド面４６ｄと軸４６ｂの位置関係から、バネ４６ａの力で昇降ガイド溝４１から退避せず、誘導ガイド４６のガイド面４６ｄにより、揺動ガイド軸２２ｃを揺動ガイド溝４２の揺動ガイド部４２ａに誘導する。
【０１４２】
転写スタンプ２１Ｃが上昇する動作で、揺動ガイド軸２２ｃが揺動ガイド溝４２の揺動ガイド部４２ａにガイドされると、転写スタンプ２１Ｃは、昇降ガイド溝４１にガイドされる昇降ガイド軸２２ｂを支点に挿入部４７ａ方向へ回転して、糊転写位置から糊切り位置に移動する。
【０１４３】
転写スタンプ２１Ｃの上昇に伴って、揺動ガイド軸２２ｃが揺動ガイド溝４２の戻りガイド部４２ｂにガイドされると、転写スタンプ２１Ｃは、昇降ガイド軸２２ｂを支点に回転して、糊切り位置から糊転写位置へ移動する。そして、転写スタンプ２１Ｃの上昇に伴って、揺動ガイド軸２２ｃが揺動ガイド溝４２の戻りガイド部４２ｂから合流部４５ａで昇降ガイド溝４１に戻る。
【０１４４】
ラックギア２６ａは、昇降ガイド溝４１に沿って延在し、昇降ガイド溝４１に昇降ガイド軸２２ｂと揺動ガイド軸２２ｃがガイドされて転写スタンプ２１Ｃが上下方向に移動することで、ラックギア２６ａとかみ合う第１の駆動ギア２６ｃが回転する。
【０１４５】
転写スタンプ２１Ｃが封筒１０のフラップ１１を押圧する方向に下降する動作で、ラックギア２６ａと噛み合う第１の駆動ギア２６ｃが所定の一の方向に回転すると、本例では、ワンウエイクラッチ２６ｅを介して第１の駆動ギア２６ｃから第２の駆動ギア２６ｄに駆動力が伝達されて、第２の駆動ギア２６ｄが第１の駆動ギア２６ｃと同方向に回転する。
【０１４６】
第２の駆動ギア２６ｄが所定の一の方向に回転すると、第２の駆動ギア２６ｄと噛み合う巻取ギア２７ｗと供給ギア２７ｓが一の方向に回転する。巻取ギア２７ｗが回転すると巻取軸２５ｗが回転し、巻取軸２５ｗにセットされた巻取リール２３ｗが回転する。また、供給ギア２７ｓが回転すると供給軸２５ｓが回転し、供給軸２５ｓにセットされた供給リール２３ｓが回転する。
【０１４７】
転写スタンプ２１Ｃが封筒１０のフラップ１１から退避する方向に上昇する動作で、ラックギア２６ａと噛み合う第１の駆動ギア２６ｃが所定の一の方向と逆の他の方向に回転すると、本例では、ワンウエイクラッチ２６ｅにより第２の駆動ギア２６ｄが第１の駆動ギア２６ｃに対して空転する。第２の駆動ギア２６ｄが回転しないことで、第２の駆動ギア２６ｄと噛み合う巻取ギア２７ｗ及び供給ギア２７ｓが回転せず、巻取軸２５ｗ及び供給軸２５ｓに駆動力が伝達されずに巻取リール２３ｗ及び供給リール２３ｓが回転しない。
【０１４８】
これにより、転写スタンプ２１Ｃが封筒１０のフラップ１１を押圧する方向に下降する動作では、糊テープ２０が巻取リール２３ｗに巻き取られると共に、供給リール２３ｓから糊テープ２０が繰り出される。また、転写スタンプ２１Ｃが封筒１０のフラップ１１から退避する方向に上昇する動作では、糊テープ２０が巻取リール２３ｗに巻き取られない。よって、転写スタンプ２１Ｃの昇降動作に連動して、転写スタンプ２１Ｃの転写面２２ａに所定量の糊テープ２０が供給される。
【０１４９】
第１の駆動ギア２６ｃ及び第２の駆動ギア２６ｄは、昇降ガイド軸２２ｂと同軸上に設けられることで、転写スタンプ２１Ｃが昇降ガイド軸２２ｂを支点に揺動する動作で、左右方向に移動せず、第１の駆動ギア２６ｃとラックギア２６ａとのかみ合い状態が保持される。また、第２の駆動ギア２６ｄと巻取ギア２７ｗ及び供給ギア２７ｓとのかみ合い状態が保持される。
【０１５０】
＜第２の実施の形態の封緘装置の動作例＞
図１２〜図１８は、第２の実施の形態の封緘装置の動作の一例を示す動作説明図で、次に、各図を参照して封緘装置１Ｃにおける封緘動作について説明する。
【０１５１】
まず、図１２に示すように、挿入部４７ａから封筒１０が挿入されて、封筒１０のフラップ１１の先端がストッパプレート４８に突き当てられて、封筒１０のフラップ１１と転写スタンプ２１Ｃとの位置合わせ、及び封筒１０とフラップ１１の境目と折り目付けプレート３０Ｃとの位置合わせが行われる。
【０１５２】
封筒１０がセットされて、ハンドル２０ａが作業者により下方へ向けて押されると、封緘装置１Ｃは、連結部材３２Ｃにより昇降ガイド軸２２ｂが押されることで、昇降ガイド軸２２ｂと揺動ガイド軸２２ｃが昇降ガイド溝４１にガイドされて、転写スタンプ２１Ｃが封筒１０のフラップ１１を押圧する方向に下降する。
【０１５３】
転写スタンプ２１Ｃが封筒１０のフラップ１１を押圧する方向に所定量下降すると、図１３に示すように、第１の駆動ギア２６ｃがラックギア２６ａとかみ合う。ラックギア２６ａと噛み合う第１の駆動ギア２６ｃが所定の一の方向である矢印ｅ方向に回転すると、ワンウエイクラッチ２６ｅを介して第１の駆動ギア２６ｃから第２の駆動ギア２６ｄに駆動力が伝達されて、第２の駆動ギア２６ｄが第１の駆動ギア２６ｃと同方向に回転する。
【０１５４】
第２の駆動ギア２６ｄが矢印ｅ方向に回転すると、第２の駆動ギア２６ｄと噛み合う巻取ギア２７ｗと供給ギア２７ｓが一の方向である矢印ａ方向に回転する。巻取ギア２７ｗが回転すると巻取軸２５ｗが回転し、巻取軸２５ｗにセットされた巻取リール２３ｗが矢印ａ方向に回転する。また、供給ギア２７ｓが回転すると供給軸２５ｓが回転し、供給軸２５ｓにセットされた供給リール２３ｓが矢印ａ方向に回転する。
【０１５５】
これにより、転写スタンプ２１Ｃが封筒１０のフラップ１１を押圧する方向に下降する動作では、糊テープ２０が巻取リール２３ｗに巻き取られると共に、供給リール２３ｓから糊テープ２０が繰り出され、転写スタンプ２１Ｃの昇降動作に連動して、転写スタンプ２１Ｃの転写面２２ａに糊テープ２０が供給される。なお、糊テープ２０の供給量は、転写面２２ａの短手方向の長さと略同等となるようにラックギア２６ａの長さやギア比等が設定されることで、糊テープ２０の無駄を省くことができる。
【０１５６】
転写スタンプ２１Ｃが封筒１０のフラップ１１を押圧する方向に下降する動作で、揺動ガイド軸２２ｃに押圧面４６ｃが押され、誘導ガイド４６が昇降ガイド溝４１から退避して、揺動ガイド軸２２ｃが通過可能となる。揺動ガイド軸２２ｃが通過すると、誘導ガイド４６はバネ４６ａに付勢されてガイド位置に復帰する。
【０１５７】
ハンドル２０ａが押されて転写スタンプ２１Ｃが所定量下降すると、転写スタンプ２１Ｃに取り付けられたストッパプレート押圧部材２２ｅがストッパプレート４８に接触し、転写スタンプ２１Ｃが下降する動作でストッパプレート４８が押圧される。また、転写スタンプ２１Ｃに取り付けられた折り目付けプレート押圧部材２２ｄが折り目付けプレート３０Ｃに接触し、転写スタンプ２１Ｃが下降する動作で折り目付けプレート３０Ｃが押圧される。
【０１５８】
図１４に示すように、ハンドル２０ａが押されて転写スタンプ２１Ｃが下端位置まで下降すると、ストッパプレート４８がストッパプレート押圧部材２２ｅに押圧されて、封筒載置部４７の糊付け台４７ｃから下方へ退避する。これにより、転写スタンプ２１Ｃの転写面２２ａが封筒１０のフラップ１１に押圧され、転写面２２ａを通る糊テープ２０がフラップ１１に押圧されて、糊がフラップ１１に転写される。
【０１５９】
また、折り目付けプレート３０Ｃが折り目付けプレート押圧部材２２ｄに押圧されて、折り目付けプレート３０Ｃで封筒１０とフラップ１１の境目が押圧される。封筒１０は、折り目付け台４７ｂ上に封筒１０とフラップ１１の境目が位置し、折り目付けプレート３０Ｃで封筒１０とフラップ１１の境目が押圧されると、折り目付け台４７ｂが弾性変形することで、封筒１０とフラップ１１の境目に折り目が付けられる。
【０１６０】
糊がフラップ１１に転写された後、ハンドル２０ａから手を離すと、バネ２０ｂによりハンドル２０ａが上方に付勢される。ハンドル２０ａがバネ２０ｂにより押し上げられることで、昇降ガイド軸２２ｂと揺動ガイド軸２２ｃが昇降ガイド溝４１にガイドされて、転写スタンプ２１Ｃが封筒１０のフラップ１１から退避する方向に上昇する。
【０１６１】
転写スタンプ２１Ｃが封筒１０のフラップ１１から退避する方向に上昇する動作では、転写スタンプ２１Ｃが下端位置から所定量上昇すると、図１５に示すように、ストッパプレート４８がバネ４８ｂにより復帰して糊付け台４７ｃから突出する。また、折り目付けプレート３０Ｃがバネ３４ｂにより上方へ退避する。
【０１６２】
更に、転写スタンプ２１Ｃが下端位置から上昇する動作で、糊テープ２０に貼り付いた状態のフラップ１１が持ち上げられる。封筒１０は、封筒１０とフラップ１１との境目に折り目が付けられているので、フラップ１１が持ち上げられることで、フラップ１１が折り曲げられる。
【０１６３】
また、転写スタンプ２１Ｃが下端位置から所定量上昇すると、昇降ガイド溝４１を上昇する揺動ガイド軸２２ｃが、誘導ガイド４６のガイド面４６ｄにより、分岐部４５ｂで揺動ガイド溝４２の揺動ガイド部４２ａに誘導される。
【０１６４】
転写スタンプ２１Ｃが上昇する動作で、揺動ガイド軸２２ｃが揺動ガイド溝４２の揺動ガイド部４２ａにガイドされると、図１６に示すように、転写スタンプ２１Ｃは、昇降ガイド溝４１にガイドされる昇降ガイド軸２２ｂを支点に、矢印ｃで示す挿入部４７ａ方向へ回転する。
【０１６５】
転写スタンプ２１Ｃが昇降ガイド軸２２ｂを支点に矢印ｃ方向に回転すると、糊テープ２０に貼り付いた状態のフラップ１１が、挿入部４７ａ方向に持ち上げられることで、折り目に近い側より糊テープ２０から剥離し、糊テープ２０の糊がフラップ１１に転写される。
【０１６６】
転写スタンプ２１Ｃは、図１７に示すように、揺動ガイド溝４２の揺動ガイド部４２ａにガイドされる揺動ガイド軸２２ｃが、揺動ガイド部４２ａと戻りガイド部４２ｂが繋がる曲部４２ｃに移動する位置まで上昇すると、糊切り位置に移動する。
【０１６７】
転写スタンプ２１Ｃが糊切り位置まで移動すると、転写スタンプ２１Ｃが上昇しながら揺動する動作で、糊テープ２０に貼り付いた状態で持ち上げられたフラップ１１の全体が、折り目に近い側より糊テープ２０から剥離される。これにより、フラップ１１に合わせて幅広な糊テープ２０が、糊をフラップ１１に転写してフラップ１１から剥離されて糊切りされる。
【０１６８】
糊テープ２０は、封筒１０の幅に合わせられたもので、１テープ当たりの転写可能回数を増やすことができる。また、このような幅広の糊テープ２０であっても、転写スタンプ２１Ｃを揺動させることで、転写範囲に合わせた糊切りが確実に行われる。
【０１６９】
転写スタンプ２１Ｃが上昇する動作で、第１の駆動ギア２６ｃがラックギア２６ａとかみ合う。転写スタンプ２１Ｃが上昇する動作で、ラックギア２６ａと噛み合う第１の駆動ギア２６ｃが所定の一の方向と逆の他の方向である矢印ｆ方向に回転すると、ワンウエイクラッチ２６ｅにより第２の駆動ギア２６ｄが第１の駆動ギア２６ｃに対して空転する。
【０１７０】
第２の駆動ギア２６ｄが回転しないことで、第２の駆動ギア２６ｄと噛み合う巻取ギア２７ｗ及び供給ギア２７ｓが回転せず、巻取軸２５ｗ及び供給軸２５ｓに駆動力が伝達されずに巻取リール２３ｗ及び供給リール２３ｓが回転しない。これにより、転写スタンプ２１Ｃが封筒１０のフラップ１１から退避する方向に上昇する動作では、糊テープ２０が巻取リール２３ｗに巻き取られない。なお、本実施の形態では、転写スタンプ２１Ｃの下降時に糊テープ２０の巻き取りを行っているが、転写スタンプ２１Ｃの上昇時に糊テープ２０の巻き取りを行う構成としてもよい。また、糊テープ２０の巻き取り側と供給側の配置を、転写スタンプ２１Ｃを挟んで反転させ、糊テープ２０の送り方向を逆向きとする構成としてもよい。
【０１７１】
転写スタンプ２１Ｃの上昇に伴って、揺動ガイド軸２２ｃが揺動ガイド溝４２の戻りガイド部４２ｂにガイドされると、転写スタンプ２１Ｃは、昇降ガイド軸２２ｂを支点に回転して、糊切り位置から糊転写位置へ移動する。そして、転写スタンプ２１Ｃの上昇に伴って、揺動ガイド軸２２ｃが揺動ガイド溝４２の戻りガイド部４２ｂから合流部４５ａで昇降ガイド溝４１に戻り、図１８に示すように、転写スタンプ２１Ｃが待機位置まで上昇する。
【０１７２】
そして、封筒１０を封緘装置１Ｃの挿入部４７ａから抜くことで、フラップ１１からはみ出ることなくフラップ１１に糊が付けられていると共に、フラップ１１に直線状の折り目が付けられた封筒１０が得られる。
【０１７３】
後は、第１の実施の形態の封緘装置１Ａと同様に、フラップ１１を作業者が人手で曲げれば、容易かつ綺麗に封緘処理を行うことができる。すなわち、上述した糊切り動作によりフラップ１１からはみ出さないように、フラップ１１に糊が転写されているので、封緘後に糊が外にはみ出すことはなく、仕上がりの品質が向上する。また、上述した折り目付け動作で折り曲げプレート３０Ｃにより直線状の折り目を付けることができるので、折り目に沿ってフラップ１１を容易に折り曲げることができ、折り目が曲がることがない。
【０１７４】
封緘装置１Ｃでも、ハンドル２０ａを往復させる操作で糊の転写とフラップ１１の折り目付けを行うことができ、操作が容易である。また、構成が簡単な装置であり、小型かつ低コストで提供することができる。封緘装置１Ｃでは、糊が付けられたフラップを圧着するところまで行う装置ではないが、フラップ１１に折り目をつける工程までを行うことで、糊が付けられたフラップを直接触って折り目を付ける作業は不要となり、作業効率は改善する。なお、転写スタンプ２１Ｃの上下動は、手動に限らず、既知の技術により電動化しても良い。
【産業上の利用可能性】
【０１７５】
本発明は、可搬型の封緘装置に適用される。
【符号の説明】
【０１７６】
１Ａ，１Ｂ，１Ｃ・・・封緘装置、１０・・・封筒、１１・・・フラップ、２Ａ，２Ｃ・・・糊転写機構、２０・・・糊テープ、２０ａ・・・ハンドル、２０ｂ・・・バネ、２１Ａ，２１Ｃ・・・転写スタンプ、２２ａ・・・転写面、２２ｂ・・・昇降ガイド軸、２２ｃ・・・揺動ガイド軸、２３Ａ，２３Ｂ，２３Ｃ・・・糊供給機構、２３ｓ・・・供給リール、２３ｗ・・・巻取リール、２４Ａ，２４Ｃ・・・支持部材、２５ｓ・・・供給軸、２５ｗ・・・巻取軸、２６ａ・・・ラックギア、２６ｂ・・・駆動ギア、２６ｃ・・・第１の駆動ギア、２６ｄ・・・第２の駆動ギア、２６ｅ・・・ワンウエイクラッチ、２６ｆ・・・トルクリミッタ、２７ｗ・・・巻取ギア、２７ｓ・・・供給ギア、３Ａ・・・折り曲げ機構、３Ｃ・・・折り目付け機構、３０・・・折り曲げブロック、３０ａ・・・折り曲げ斜面、３０ｂ・・・スライドガイド軸、３０Ｃ・・・折り目付けプレート、３１・・・リンク部、３１ａ・・・第１のリンク、３１ｂ・・・第２のリンク、３１ｃ・・・軸、３２Ａ，３２Ｃ・・・連結部材、３３・・・連結軸、４Ａ，４Ｃ・・・筐体、４０・・・載置面、４０ａ・・・開口部、４０ｂ・・・封筒押さえ部、４０ｃ・・・挿入部、４１・・・昇降ガイド溝、４２・・・揺動ガイド溝、４２ａ・・・揺動ガイド部、４２ｂ・・・戻りガイド部、４２ｃ・・・曲部、４３・・・第１のスライドガイド溝、４４・・・第２のスライドガイド溝、４５ａ・・・合流部、４５ｂ・・・分岐部、４６・・・誘導ガイド、４６ａ・・・バネ、４６ｂ・・・軸、４６ｃ・・・押圧面、４６ｄ・・・ガイド面、４７・・・封筒載置部、４７ａ・・・挿入部、４７ｂ・・・折り目付け台、４７ｃ・・・糊付け台、４８・・・ストッパプレート
【図１】
2012086496.tif 000003
【図２】
2012086496.tif 000004
【図３】
2012086496.tif 000005
【図４】
2012086496.tif 000006
【図５】
2012086496.tif 000007
【図６】
2012086496.tif 000008
【図７】
2012086496.tif 000009
【図８】
2012086496.tif 000010
【図９】
2012086496.tif 000011
【図１０】
2012086496.tif 000012
【図１１】
2012086496.tif 000013
【図１２】
2012086496.tif 000014
【図１３】
2012086496.tif 000015
【図１４】
2012086496.tif 000016
【図１５】
2012086496.tif 000017
【図１６】
2012086496.tif 000018
【図１７】
2012086496.tif 000019
【図１８】
2012086496.tif 000020